(57)【要約】【課題】貯湯式給湯機の経年劣化に対応して貯湯式給湯機の寿命を延ばすこと。【解決手段】貯湯タンク２と貯湯タンク２内の水をヒートポンプサイクルにより所定能力をもって湯に沸き上げるヒートポンプユニット２０と、貯湯タンク２およびヒートポンプユニット２０に内蔵された温度センサ２ａ，６，１５ａ，１５ｂ，２１などの複数のセンサ、および電磁弁５，１０，２４、圧縮機２２、ポンプ１６などの複数のアクチュエータと、これらセンサの出力に基づいてアクチュエータを制御する制御装置３０とを備えた貯湯式給湯機１００において、制御装置３０は、アクチュエータの使用履歴情報を所定の閾値と比較し、閾値を超えた場合にはヒートポンプユニット２０での沸き上げ能力を低い所定能力に変更する。【選択図】        図１
2009121692.tif 000002
【特許請求の範囲】
【請求項１】
貯湯タンクと、
前記貯湯タンク内の水をヒートポンプサイクルにより所定能力をもって湯に沸き上げるヒートポンプユニットと、
前記貯湯タンクおよび前記ヒートポンプユニットに内蔵された温度センサなどの複数のセンサ、および電磁弁、圧縮機、ポンプなどの複数のアクチュエータと、
前記複数のセンサの出力に基づき前記複数のアクチュエータを制御する制御装置とを備えた貯湯式給湯機において、
前記制御装置は、前記複数のアクチュエータの使用履歴情報を所定の閾値と比較し、前記閾値を超えた場合には前記ヒートポンプユニットでの沸き上げ能力を前記所定能力よりも低い所定能力に変更することを特徴とする貯湯式給湯機。
【請求項２】
前記閾値を複数段階設けるとともに、前記所定能力よりも低い所定能力を前記複数段階の閾値に対応させて複数段階設けることを特徴とする請求項１に記載の貯湯式給湯機。
【請求項３】
外気温度があらかじめ設定した所定値よりも低い場合には、前記制御装置による所定能力変更時の前記所定能力の低下度合いを、さらに大きくすることを特徴とする請求項１または２に記載の貯湯式給湯機。
【請求項４】
沸き上げ目標温度があらかじめ設定した所定温度よりも高い場合には、前記制御装置による所定能力変更時の前記所定能力の低下度合いを、さらに大きくすることを特徴とする請求項１または２に記載の貯湯式給湯機。
【請求項５】
前記使用履歴情報は、前記複数のアクチュエータの動作時間または動作回数の積算値であることを特徴とする請求項１から４のいずれか一つに記載の貯湯式給湯機。
【請求項６】
前記制御装置が前記所定能力の変更を行った場合、その旨を表示する表示手段をさらに備えることを特徴とする請求項１から５のいずれか一つに記載の貯湯式給湯機。
【発明の詳細な説明】
【技術分野】
【０００１】
本発明は、貯湯タンクを有する貯湯式給湯機に関するものである。
【背景技術】
【０００２】
ヒートポンプ式給湯機（貯湯式給湯機）は、ヒートポンプサイクルによって外気との熱交換をおこなって、低温水を加熱している。この貯湯式給湯機は外気との熱交換をおこなうために冷媒を圧縮する圧縮機、循環ポンプおよび電磁弁などの作動部を備えているが、これらの作動部は、経年劣化によって、その性能が徐々に低下する。
【０００３】
特許文献１においては、貯湯式給湯機は、外気温度または入水温度によって、湯を加熱する能力が影響を受けることから、季節に応じて圧縮機の運転負荷を変更するとともに、夜間において圧縮機の運転負荷を下げることによって、圧縮機の長寿命化を図っている。
【０００４】
【特許文献１】特開２００４−１１６８９１号公報（第１項、図１）
【発明の開示】
【発明が解決しようとする課題】
【０００５】
しかしながら、上記特許文献１では、季節に応じて圧縮機の運転負荷を変更し、夜間において圧縮機の負荷を下げた運転をすることにより、圧縮機の長寿命化を図ってはいるが、貯湯式給湯機の経年劣化に対応して、圧縮機を含めた機器の負荷を下げていくものではないという問題点があった。
【０００６】
本発明は、上記に鑑みてなされたものであって、貯湯式給湯機の経年劣化に対応して貯湯式給湯機の寿命を延ばすとともに使用者に寿命が近いことを事前に知らしめる、使い勝手の良い貯湯式給湯機を提供することを目的とする。
【課題を解決するための手段】
【０００７】
上述した課題を解決し、目的を達成するために、本発明は、貯湯タンクと前記貯湯タンク内の水をヒートポンプサイクルにより所定能力をもって湯に沸き上げるヒートポンプユニットと、貯湯タンクおよびヒートポンプユニットに内蔵された温度センサ、圧力センサなどの複数のセンサ、および電磁弁、圧縮機、ポンプなどの複数のアクチュエータと、複数のセンサの出力に基づき複数のアクチュエータを制御する制御装置とを備えた貯湯式給湯機において、制御装置は、複数のアクチュエータの使用履歴情報を所定の閾値と比較し、閾値を超えた場合には前記ヒートポンプユニットでの沸き上げ能力を所定能力よりも低い所定能力に変更することを特徴とする。
【発明の効果】
【０００８】
本発明によれば、経年劣化に対応した適度な能力低減を自動で行い機器への過度な負担を回避して寿命を延ばすとともに使用者に寿命が近いことを事前に知らしめる、使い勝手の良い貯湯式給湯機を提供することが可能となる。
【発明を実施するための最良の形態】
【０００９】
以下に、本発明にかかる貯湯式給湯機の実施の形態を図面に基づいて詳細に説明する。なお、この実施の形態によりこの発明が限定されるものではない。
【００１０】
実施の形態．
図１は、本発明にかかる貯湯式給湯機の実施の形態の構成を示す図である。図１に示すように、貯湯式給湯機１００は、貯湯タンクユニット１とヒートポンプユニット２０とを備えており、貯湯タンクユニット１とヒートポンプユニット２０とは、加熱循環回路１５により接続されている。以下に、貯湯タンクユニット１とヒートポンプユニット２０のそれぞれの構成と作用について説明する。
【００１１】
図１に示すように、貯湯タンクユニット１のケーシング１ａには、貯湯タンク２が内蔵され、貯湯タンク２の下部には、貯湯タンク２に給水する給水配管３が接続され、貯湯タンク２の上部には、貯湯タンク２の貯湯を外部に給湯する給湯配管４が接続されている。また、貯湯タンク２の外壁側面には貯湯タンク２内の貯湯温度を検出する複数の貯湯温度センサ２ａが互いに異なる取付け高さをもって設けられている。
【００１２】
ヒートポンプユニット２０は、タンクユニット１内に設置された制御装置３０の指令により、貯湯タンク２に給水された低温水をヒートポンプサイクルにより大気から取得した熱によって沸き上げる。ヒートポンプユニット２０は、圧縮機２２、空気熱交換器２３、熱交換器１７および膨張弁２４を有する。これら圧縮機２２、空気熱交換器２３、熱交換器１７および膨張弁２４は、それぞれ冷媒配管２５に接続されており、冷媒配管２５は、圧縮機２２から熱交換器１７、膨張弁２４、空気熱交換器２３を経由し再び圧縮機２２に戻る循環経路となっている。ヒートポンプユニットハウジング２０ａ内には外気温度Ｔを検出する外気温度センサ２１が設けられている。
【００１３】
貯湯タンク２とヒートポンプユニット２０とを接続する加熱循環回路１５は、貯湯タンク２の下部から取出した低温水をヒートポンプユニット２０の熱交換器１７に送り、熱交換器１７で熱交換された高温水を貯湯タンク２の上部に戻す循環経路である。この加熱循環回路１５は、貯湯タンク２の下部からヒートポンプユニット２０へ低温水を吸込む吸込管１５ｃと、ヒートポンプユニット２０から貯湯タンク２の上部へ沸き上げた高温水を吐き出す吐出管１５ｄとを有している。
【００１４】
吸込管１５ｃは、貯湯タンク２の下部から循環ポンプ１６を介してヒートポンプユニット２０内の熱交換器１７に接続されている。この吸込管１５ｃは、循環ポンプ１６の作動により、図１の矢印ａ１で示すように、貯湯タンク２の下部から熱交換器１７に低温水を送る。熱交換器１７に送られた低温水は、ヒートポンプサイクルによって取得した熱が熱交換され、加熱される。
【００１５】
吐出管１５ｄは、熱交換器１７から貯湯タンク２上部に接続されており、熱交換器１７で熱交換された高温水を、図１の矢印ａ２で示すように、貯湯タンク２の上部に戻す。
【００１６】
貯湯タンク２からヒートポンプユニット２０に送る低温水の温度は、吸込管１５ｃの貯湯タンク２側に設置された水温センサ１５ａによって検出され、熱交換器１７から貯湯タンク２に戻す高温水の温度は、吐出管１５ｄの熱交換器１７近傍に設置された沸上温度センサ１５ｂにより検出される。
【００１７】
貯湯タンクユニット１内には、ヒートポンプユニット２０の動作や循環ポンプ１６の動作等を制御する制御装置３０が設置されている。この制御装置３０には、貯湯温度センサ２ａ、給湯温度センサ６、ふろ流量センサ１１、水温センサ１５ａ、沸上温度センサ１５ｂおよび外気温度センサ２１の各センサと、ヒートポンプユニット２０と、給湯混合弁５と、ふろ電磁弁１０と、循環ポンプ１６と、リモートコントローラ３１とが接続されている。また、制御装置３０は、リモートコントローラ３１で設定された各種設定及び貯湯温度センサ２ａ、水温センサ１５ａ、沸上温度センサ１５ｂ、給湯温度センサ６、ふろ流量センサ１１および外気温度センサ２１の検出値に基づいてヒートポンプユニット２０、圧縮機２２、膨張弁２４、循環ポンプ１６、給湯混合弁５、ふろ電磁弁１０などの貯湯式給湯機１００全体の動作を制御する。また、制御装置３０は現在時刻をカウントする機能も有し、時刻に応じた貯湯式給湯機１００の制御も行う。さらに、制御装置３０の判断部３０ａは、圧縮機累積動作時間と記憶部３０ｂにあらかじめ設定されている時間とを比較し、累積動作時間が記憶部３０ｂにあらかじめ設定されている時間以上であった場合、圧縮機２２の経年劣化が進行していると判断する。
【００１８】
屋内には、有線により制御装置３０に接続されたリモートコントローラ３１が配置されている。このリモートコントローラ３１は、貯湯式給湯機１００の各種動作状態の表示や報知を行う機能を有するとともに、制御装置３０に対する入力装置としても機能するものであり、ユーザにより入力された情報を判断部３０ａに伝える。例えば、沸上動作設定や給湯温度設定、ふろ湯張りの設定など、貯湯式給湯機１００の設定に関する種々の事項がリモートコントローラ３１から入力される。
【００１９】
貯湯タンク２の上部に接続された給湯配管４は、給湯混合弁５によって給水配管３から分岐した給水バイパス管３ａと合流する。給湯混合弁５の出力は給湯配管７を介して蛇口９に接続される。さらに、給湯配管７からは、ふろ配管８が分岐し、ふろ配管８は浴槽１２に接続している。
【００２０】
給湯配管７の給湯混合弁５付近には、貯湯タンク２上部からの高温水が給水バイパス管３ａからの水と混合された後の水温を検出する給湯温度センサ６が設置されている。また、給湯配管７から分岐したふろ配管８には、給湯配管７からの湯を浴槽１２へ供給または遮断するためのふろ電磁弁１０と、浴槽１２への供給流量を計測するふろ流量センサ１１とを備える。
【００２１】
次に、実施の形態の貯湯式給湯機１００の動作を説明する。給水管３から給水された水は、給水管３に接続された図示しない減圧弁により所定圧力に減圧され、貯湯タンク２に給水される。貯湯タンク２は、常に所定圧力の満水状態となっている。
【００２２】
貯湯タンク２の湯水の沸き上げは、主に深夜電力時間帯（一般に、２３時から翌朝７時までの時間）に行われる。貯湯タンク１の低温水は、制御装置３０からの指令を受けた循環ポンプ１６によって貯湯タンク１の下部から吸込管１５ｃに吸込まれ、ヒートポンプユニット２０に送られる（図１の矢印ａ１参照）。
【００２３】
ヒートポンプユニット２０は、制御部３０からの湯を沸き上げる旨の指令により、圧縮機２０によって自然冷媒を圧縮し、この圧縮されて高温高圧の状態となった自然冷媒を、冷媒配管２５により熱交換器１７へ導き、熱交換器１７において加熱循環回路１５によって貯湯タンク２から導かれた低温水と熱交換する。この熱交換により、自然冷媒は熱を奪われ低温高圧の状態となる。この状態で膨張弁２４を開放すると、自然冷媒は低温低圧となる。低温低圧となった自然冷媒は、空気熱交換器２３において外気の熱を吸熱し、高温低圧となって圧縮機２２に再び戻る。この自然冷媒は、再度圧縮機２２により圧縮され高温高圧となり、上述の低温水との熱交換、膨張過程および外気からの吸熱のサイクルを繰り返す。
【００２４】
ここで、圧縮機２２は外気温度センサ２１により検出される外気温度Ｔと、沸き上げの所望温度（例えば９０℃）とから、制御装置３０の記憶部３０ｂに記憶された所定のモータ回転数により所望の能力を発揮するよう構成されている。
【００２５】
ヒートポンプユニット２０で加熱昇温された高温水は、吐出管１５ｄを通じて貯湯タンク２の上部に戻される（図１の矢印ａ２参照）。この沸き上げ動作により、貯湯タンク２の上部から、９０℃の高温水が少量ずつ層状に貯湯されていく。
【００２６】
ヒートポンプ方式による沸き上げは、水温センサ１５ａの温度が一定温度（例えば６０℃）以上になったら、貯湯タンク２が全量沸き上がったと判断して沸き上げを終了する。
【００２７】
ここで、蛇口９を開けると、貯湯タンク２内の高温水が給湯配管４から給湯される。この給湯配管４から給湯される高温水は、リモートコントローラ３１で使用者があらかじめ設定した所望の給湯温度となるように、給水バイパス管３ａにより供給される水と給湯混合弁５で混合される。このときに、制御装置３０は、給湯温度センサ６の検出値にもとづいて給湯混合弁５を制御し、所望の給湯温度で蛇口９に給湯する。
【００２８】
また、リモートコントローラ３１の操作により、ふろ湯張りの開始が指示されると、制御装置３０は、ふろ電磁弁１０を開け、浴槽１２への湯張りを行いながら、ふろ流量センサ１１で浴槽１２への供給流量を計測する。供給流量がリモートコントローラ３１で使用者が設定した所望量になると制御装置３０は、ふろ電磁弁１０を閉止する。なお、浴槽１２への所望の給湯温度の制御は前述の蛇口９への出湯と同様に、給湯温度センサ６の検出値にもとづいて給湯混合弁５を制御することによって行う。
【００２９】
以上のように、通常使用において貯湯タンクユニット１内およびヒートポンプユニット２０内の、給湯温度センサ６、ふろ流量センサ１１、水温センサ１５a、沸上温度センサ１５b、外気温度センサ２１などの各センサや、給湯混合弁５、ふろ電磁弁１０、循環ポンプ１６、圧縮機２２、膨張弁２４などのアクチュエータは、各々所定の動作を行いながら問題なく貯湯式給湯機１００としての動作を行っているが、長期間使用を継続することによる経年劣化により、例えば圧縮機２２が前述の所定回転数での運転を行っても徐々に所望の能力を発揮できなくなってゆく場合があり、本実施の形態はこのような経年変化に対処する際に、その効果を発揮する。以下、図２から図４を用いて詳細に説明する。
【００３０】
図２および図３は、貯湯式給湯機の沸上能力と、圧縮機の動作時間の積算値である圧縮機累計運転時間との関係を示す図である。図２および図３において、貯湯式給湯機の沸上能力は、貯湯式給湯機１００の運転開始当初の沸上能力と、所定の圧縮機累計運転時間が経過した貯湯式給湯機の沸上能力との比である沸上能力比として表現されている。
【００３１】
ここで、図２は外気温度Ｔが閾値Ｔ１（例えば、この場合７℃）以上の場合に適用される沸上能力比と圧縮機累計運転時間との関係を示す図であり、図３は外気温度Ｔが閾値Ｔ１未満の場合に適用される沸上能力比と圧縮機累計運転時間との関係を示す図である。
【００３２】
本実施の形態では、沸上能力比の各値として、図２ではＱ０、Ｑ１、Ｑ２およびＱ３を、図３ではＱ０、Ｑ１０、Ｑ２０およびＱ３０を、それぞれ制御装置３０の記憶部３０ｂにあらかじめ記憶しておくものとする。たとえば、図２の場合では、Ｑ０は初期の沸上能力と同値とするため１．０とし、Ｑ１は初期の９０％の能力に低下させるために０．９、Ｑ２は初期の８０％の能力に低下させるために０．８、Ｑ３は初期の７０％の能力に低下させるため０．７としている。また、図３の場合では、Ｑ０は初期の沸上能力と同値とするため１．０とし、Ｑ１０は初期の８０％の能力に低下させるために０．８、Ｑ２０は初期の７０％の能力に低下させるために０．７、Ｑ３０は初期の６０％の能力に低下させるため０．６としている。
【００３３】
また、本実施の形態では、経年劣化が始まると考えられる圧縮機累計動作時間としてＡ１を２００００時間、経年劣化が中程度進行している段階の圧縮機累計動作時間としてＡ２を３００００時間、経年劣化が相当量進行している段階の圧縮機累計動作時間としてＡ３を４００００時間にそれぞれ設定し、制御装置３０の記憶部３０ｂにあらかじめ記憶させておき、制御装置３０は、Ａ１の時点で沸上能力比をＱ１またはＱ１０に、Ａ２の時点で沸上能力比をＱ２またはＱ２０に、Ａ３の時点で沸上能力比をＱ３またはＱ３０に変更するものとする。なお、本実施の形態では、Ｑ０〜Ｑ３、Ｑ０〜Ｑ３０およびＡ１〜Ａ３を上述の値としたが、圧縮機２２などの性能や使用環境条件などにより適切な値を設定してもよい。
【００３４】
上記のＱ０〜Ｑ３、Ｑ０〜Ｑ３０およびＡ１〜Ａ３の設定により、本実施の形態では、圧縮機累積動作時間がＡ１までは、沸上能力比は１．０となり、圧縮機累積動作時間がＡ１からＡ２までの間は、沸上能力比はＱ１またはＱ１０となり、圧縮機累積動作時間がＡ２からＡ３までの間は、沸上能力比はＱ２またはＱ２０となり、圧縮機累積動作時間がＡ３を超えると、沸上能力比はＱ３またはＱ３０となる。以下、この累積動作時間による沸上能力比の変更動作に関し、図４のフローチャートを用いて説明する。
【００３５】
ステップＳ５１では、制御装置３０が本貯湯式給湯機１００の使用開始から計時している圧縮機累積動作時間と制御装置３０の記憶部３０ｂにあらかじめ設定されているＡ１（この場合２００００時間）とを判断部３０ａが比較し、圧縮機累積動作時間がＡ１以上であった場合、圧縮機２２の経年劣化が始まっていると判断し（ステップＳ５１：Ｙｅｓ）、ステップＳ５２に至る。一方で、圧縮機累積動作時間がＡ１未満の場合は（ステップＳ５１：Ｎｏ）、手順はステップＳ５１以前に戻る。
【００３６】
ステップＳ５２では、外気温度Ｔが閾値Ｔ１（ここでは７℃）以上かどうかを制御装置３０の判断部３０ａが判断し、閾値Ｔ１以上の場合は（ステップＳ５２：Ｙｅｓ）、ステップＳ５３に至り、ステップＳ５３において沸上能力比をＱ０からＱ１に変更する。
【００３７】
ステップＳ５２で外気温度Ｔが閾値Ｔ１以上でない場合は（ステップＳ５２：Ｎｏ）、ステップＳ５４に至り、ステップＳ５４において沸上能力比を初期のＱ０からＱ１０に変更する。
【００３８】
このように本実施の形態では、圧縮機２２の経年劣化が始まっていると考えられる時点で、沸上能力比Ｑ１またはＱ１０にしたがって貯湯式給湯機１００の沸上能力を低減することにより圧縮機２２への負荷を軽減する。この結果、そのまま運転開始当初と同じ沸上能力を目標に運転を継続した場合よりも、圧縮機２２の経年劣化の進行を抑制し長寿命化を図ることができる。
【００３９】
ステップＳ５５では、圧縮機累積動作時間と制御装置３０の記憶部３０ｂにあらかじめ設定されているＡ２（この場合３００００時間）とを判断部３０ａが比較し、累積動作時間がＡ２以上であった場合、圧縮機２２の経年劣化が中程度進行していると判断し（ステップＳ５５：Ｙｅｓ）、ステップＳ５６に至る。一方で、圧縮機累積動作時間がＡ２未満の場合は（ステップＳ５５：Ｎｏ）、手順はステップＳ５１以前に戻る。
【００４０】
ステップＳ５６では、外気温度Ｔが閾値Ｔ１（ここでは７℃）以上かどうかを制御装置３０の判断部３０ａが判断し、閾値Ｔ１以上の場合は（ステップＳ５６：Ｙｅｓ）、ステップＳ５７に至り、ステップＳ５７において沸上能力比をＱ１からＱ２に変更する。
【００４１】
ステップＳ５６で外気温度Ｔが閾値Ｔ１以上でない場合は（ステップＳ５６：Ｎｏ）、ステップＳ５８に至り、ステップＳ５８において沸上能力比をＱ１０からＱ２０に変更する。
【００４２】
このように本実施の形態では、圧縮機２２の経年劣化が中程度進行していると考えられる時点で、沸上能力比Ｑ２またはＱ２０にしたがって貯湯式給湯機１００の沸上能力を低減することにより圧縮機２２への負荷を軽減する。この結果、そのまま運転開始当初と同じ沸上能力を目標に運転を継続した場合よりも、圧縮機２２の経年劣化の進行を抑制し長寿命化を図ることができる。
【００４３】
ステップＳ５９では、圧縮機累積動作時間と制御装置３０の記憶部３０ｂにあらかじめ設定されているＡ３（この場合４００００時間）とを判断部３０ａが比較し、累積動作時間がＡ３以上であった場合、圧縮機２２の経年劣化が相当量進行していると判断し（ステップＳ５９：Ｙｅｓ）、ステップＳ６０に至る。一方で、圧縮機累積動作時間がＡ３未満の場合は（ステップＳ５９：Ｎｏ）、手順はステップＳ５１以前に戻る。
【００４４】
ステップＳ６０では、外気温度Ｔが閾値Ｔ１（ここでは７℃）以上かどうかを制御装置３０の判断部３０ａが判断し、閾値Ｔ１以上の場合は（ステップＳ６０：Ｙｅｓ）、ステップＳ６１に至り、ステップＳ６１において沸上能力比をＱ２からＱ３に変更する。
【００４５】
ステップＳ６０で外気温度Ｔが閾値Ｔ１以上でない場合は（ステップＳ６０：Ｎｏ）、ステップＳ６２に至り、ステップＳ６２において沸上能力比をＱ２０からＱ３０に変更する。
【００４６】
このように本実施の形態では、圧縮機２２の経年劣化が相当量進行していると考えられる時点で、沸上能力比Ｑ３またはＱ３０にしたがって貯湯式給湯機１００の沸上能力を低減することにより圧縮機２２への負荷を軽減する。この結果、そのまま運転開始当初と同じ沸上能力を目標に運転を継続した場合よりも、圧縮機２２の経年劣化の進行を抑制し長寿命化を図ることができる。
【００４７】
本実施の形態では、ステップＳ６１またはステップＳ６２における沸上能力比の変更をもって、圧縮機累積動作時間に対応して沸上能力比を変更する一連の手順は終了する。
【００４８】
以上のように沸上能力比を圧縮機累積動作時間に応じて段階的に調整することにより、使用者は沸き上げに時間がかかるようになることや、電気料金が従来よりも高額になっていくことにより機器の経年劣化を実感でき、使用者に貯湯式給湯機の寿命が近いことを認識させ、その後の故障発生前に、貯湯式給湯機の買い替えなどを検討させることができる。
【００４９】
また、本実施の形態では、沸上能力比Ｑ１、Ｑ２、Ｑ１０、Ｑ２０を固定の一定値としたが、図２および図３の破線で示すように圧縮機累計動作時間の変化に合わせて徐々に沸上能力比を低下させてもよい。
【００５０】
また、本実施の形態では、外気温度Ｔに閾値Ｔ１を設け、実際の外気温度が閾値より高いか否かにより沸上能力比を異なる値としたが、外気温度を閾値とする代わりに沸き上げ時の目標温度を閾値とし、沸き上げ時の目標温度によって沸上能力比を異なる値としてもよい。すなわち、沸き上げ目標温度が高いと圧縮機２２にかかる負荷が増大するので、沸き上げ目標温度が高い場合には沸上能力比を小さめに調整することにより、圧縮機２２の経年劣化の進行を抑制し長寿命化を図ることができる。
【００５１】
また、本実施の形態では、圧縮機累計動作時間を機器の経年劣化の目安としたが、給湯混合弁５、ふろ電磁弁１０、循環ポンプ１６、圧縮機２２、膨張弁２４などのアクチュエータの動作回数の積算値を機器の経年劣化の目安としてもよい。
【００５２】
なお、本実施の形態では沸上能力比の変更状態の使用者への報知については特に触れなかったが、使用者に沸上能力比の変更により沸上能力が調整されていることを例えばリモートコントローラ３１に表示することによって報知してもよく、この場合には使用者はより的確に貯湯式給湯機の経年劣化による能力低下を把握することが可能となる。
【産業上の利用可能性】
【００５３】
本発明にかかる貯湯式給湯機は、機器の長寿命化に有用であり、特に圧縮機などの作動部を有する貯湯式給湯機の長寿命化に適している。
【図面の簡単な説明】
【００５４】
【図１】本発明の実施の形態に係る貯湯式給湯機の構成図である。
【図２】本発明による沸上能力比と圧縮機累計運転時間との関係を示す図である。
【図３】本発明による沸上能力比と圧縮機累計運転時間との関係を示す図である。
【図４】本発明による沸上能力比の変更動作のフローチャートである。
【符号の説明】
【００５５】
１  貯湯タンクユニット
１ａ  ケーシング
２  貯湯タンク
２ａ  貯湯温度センサ
３  給水配管
３ａ  給水バイパス管
４  給湯配管
５  給湯混合弁
６  給湯温度センサ
７  給湯配管
８  ふろ配管
９  蛇口
１０  ふろ電磁弁
１１  ふろ流量センサ
１２  浴槽
１５  加熱循環回路
１５ａ  水温センサ
１５ｂ  沸上温度センサ
１５ｃ  吸込管
１５ｄ  吐出管
１６  循環ポンプ
１７  熱交換器
２０  ヒートポンプユニット
２０ａ  ヒートポンプユニットハウジング
２１  外気温度センサ
２２  圧縮機
２３  空気熱交換器
２４  膨張弁
２５  冷媒配管
３０  制御装置
３０a  判断部
３０b  記憶部
３１  リモートコントローラ
１００  貯湯式給湯機
【図１】
2009121692.tif 000003
【図２】
2009121692.tif 000004
【図３】
2009121692.tif 000005
【図４】
2009121692.tif 000006